(57)【特許請求の範囲】
【請求項１】
互いに協働してポンプ作用を発生する回転側部材と固定側部材とを有する高真空側機構部（１）及び背圧側機構部（２）を備え、更に駆動／軸受機構部（３）を備えた真空ポンプにおいて、
前記３つの機構部を、それら機構部に対して個別に温度調節操作を加え得るように構成すると共に、前記３つの機構部のそれぞれの間をそれら機構部の構成部材の間に形成されてそれら機構部の構成部材の間の接触面の面積を減少させる肉抜き部（１５、１６、１７）によって、互いに断熱されていることを特徴とする真空ポンプ。
【請求項２】
互いに協働してポンプ作用を発生する回転側部材と固定側部材とを有する高真空側機構部（１）及び背圧側機構部（２）を備え、更に駆動／軸受機構部（３）を備えた真空ポンプにおいて、
前記３つの機構部を、それら機構部に対して個別に温度調節操作を加え得るように構成すると共に、前記３つの機構部のそれぞれの間を熱不良導体材料で形成した部材（１８，１９，２０）によって互いに断熱し、
これにより、構造的理由によって接触が必要な面の全体または一部を該熱不良導体材料で形成した部材によって、形成したことを特徴とする真空ポンプ。
【請求項３】
前記高真空側機構部（１）に冷却装置（２１）を備えたことを特徴とする請求項１又は２記載の真空ポンプ。
【請求項４】
前記高真空側機構部（１）に加熱装置（２３）を備えたことを特徴とする請求項１乃至３の何れか１項記載の真空ポンプ。
【請求項５】
前記駆動／軸受機構部（３）に冷却装置（２２）を備えたことを特徴とする請求項１乃至４の何れか１項記載の真空ポンプ。
【請求項６】
前記背圧側機構部（２）に加熱装置（２４）を備えたことを特徴とする請求項１乃至５の何れか１項記載の真空ポンプ。
【請求項７】
前記加熱装置（２４）が、前記背圧側機構部（２）のハウジングの内部へ径方向に突出した棒状の加熱エレメントで構成されていることを特徴とする請求項６記載の真空ポンプ。
【請求項８】
前記高真空側機構部（１）に、該高真空側機構部の温度をモニタして
前記加熱装置（２３）ないし前記冷却装置（２１）を制御するための温度センサ（２５）を配設したことを特徴とする請求項３または４記載の真空ポンプ。
【請求項９】
前記背圧側機構部（２）に、該背圧側機構部の温度をモニタして前記加熱装置（２４）を制御するための温度センサ（２６）を配設したことを特徴とする請求項６または７記載の真空ポンプ。
【発明の詳細な説明】
【０００１】
【発明の属する技術分野】
本発明は、真空ポンプに関するものであり、真空ポンプには例えば、ターボ分子ポンプ、分子ポンプ、ないしはそれらを組み合わせたものがある。より詳しくは、本発明は、互いに協働してポンプ作用を発生する回転側部材と固定側部材とを有する高真空側機構部及び背圧側機構部を備え、更に駆動／軸受機構部を備えた真空ポンプに関する。尚、以下の説明においては、真空ポンプのことをときに摩擦ポンプと呼ぶことがある。
【０００２】
【従来の技術】
この種の真空ポンプは、多くの場合、複数のポンプ段を有する多段ポンプとして構成されており、異なった種類のポンプ段が組み合わされていることもある。また、各ポンプ段は、ロータ部材とそれに対応したステータ部材とで構成されている。ポンプ作用を発生するロータ部材及びステータ部材は、ポンプ作用によって輸送する気体の流動方向である軸心方向に列設されている。気体流量を最大にしたり、圧縮比を最大にしたりすることのできる、最適ポンプ性能を発揮させるには、回転側部材を高速で回転させねばならない。この高速回転に要する駆動エネルギのうち、気体の運動エネルギに変換されるのはほんの一部に過ぎない。駆動エネルギの大部分は、損失熱として放散されることになる。更に、それ以外にも不都合な熱の発生があり、そのような熱は、軸受からも発生し（ボールベアリングの場合には摩擦による機械損失熱として発生し磁気軸受の場合には電気損失熱として発生する）、また、気体が圧縮されることによっても発生する。これら熱発生源によって、駆動／軸受機構部と、ポンプ作用を発生する構成部材を備えた機構部とに、不都合な温度上昇が発生し、そのような温度上昇がそれら機構部に悪影響を及ぼすことがある。極端な場合には、ロータの回転が停止することもあり、更にはポンプが損傷することすらある。そのため、高い精度を要求される構成部材が過熱するのを防止するために、この種のポンプには冷却装置が備えられている。
【０００３】
【発明が解決しようとする課題】
以上に説明した種類の摩擦ポンプは、例えば化学プロセスの工程や半導体製造の工程などにますます多用されるようになってきており、そのような用途においては、凝縮しやすい気体がポンプに大量に流入してくることがある。更に、そのような用途においては、真空容器を超高真空にまで排気しなければならないことがある。そのような場合に、ポンプ機構部が輸送している気体が、そのポンプ機構部において、層流が支配的になるほどの圧力にまで圧縮されることがある。この場合、そのポンプ機構部においては、比較的高い圧力の気体が比較的大量に輸送されることになる。その気体が凝縮しやすい気体であった場合には、また特にその気体の温度が低温であった場合には、その気体のかなりの部分が凝縮して液体になり或いは凝固して固体になる。これによって侵蝕作用や腐蝕作用が生じるため、個々の構成部材が損傷することがあり、更にはポンプ全体が破損することもある。凝固した固体物質が堆積することによって、特に分子ポンプ機構部においては元々非常に狭い隙間が更に狭まり、それによって出力低下が発生し、また最悪の場合には、ポンプの破損にまでつながることがある。
【０００４】
先に述べたように、ここに説明している種類の真空ポンプは、高い精度を要求される構成部材が過熱するのを防止するために冷却装置を装備する必要がある。ところが一方では、その冷却装置の作用によって、凝縮した液体や凝固した固体の堆積が助長されてしまうということがあり、それによっても、以上に説明したような、この種のポンプの動作に付随する問題が発生することがある。
【０００５】
そのため、上述の種類の真空ポンプを、例えば化学プロセスや半導体製造等の用途に使用する場合であって、しかもその用途において、その真空ポンプが広い圧力範囲に亙って機能しなければならない場合には、その真空ポンプの構造は、両立が完全に不可能ではないまでも、本質的に相反する２つの条件を満たさねばならないことになる。
【０００６】
ヨーロッパ特許公報ＥＰ−Ｏ−３５２６８８号には、高温の構成部材から低温の構成部材への熱伝達を防止するために、それら高温の構成部材と低温の構成部材との間に付加部材として熱抵抗の大きな部材を配設した構造が示されている。しかしながら、このような構造には、外形寸法が大きくなるという欠点がある。これに加えて、パッキングや連結部材も付加する必要がある。それら付加部材はいずれも高い精度を要求される構成部材であり、また、それら付加部材のために全体の構造が複雑化している。更に、以上の欠点は、ポンプの多数の機構部を互いに熱的に分離しようとするときには倍加することになる。
【０００７】
従って本発明の目的は、広い圧力範囲に亙って動作可能な摩擦ポンプ形の真空ポンプであって、凝縮した液体ないし凝固した固体の堆積を高度に防止し得ると共に、高温によって悪影響を受ける構成部材の過熱を防止し得る真空ポンプを提供することにある。また、これらを可能にする上で、真空ポンプの外形寸法が増大したり、高い精度を要求される構成部品を余分に必要としたりすることがないようにすることも重要である。
【０００８】
【課題を解決するための手段】
上記目的は、請求項１の特徴部分に記載した構成要件によって達成される。また、請求項２乃至１０は、本発明の実施の形態にかかる具体的な構成を記載したものである。
【０００９】
請求項１の特徴部分に記載した構成要件を備えた真空ポンプの構成によれば、また、請求項１に従属する夫々の従属請求項に記載した真空ポンプの構成によれば、この種のポンプの構造に関する基本的条件である互いに相反する２つの条件が共に満足される。真空ポンプ３つの機構部である高真空側機構部、背圧側機構部、及び駆動／軸受機構部は、旋削によって形成した径方向及び軸心方向の逃げ部、即ち肉抜き部によってそれら機構部どうしの間の接触面の面積を減少させることで、互いに熱的に分離されている。更に、構造的に省略不可能な接触面は、断熱材料で構成するようにした。高真空側機構部に対しては、背圧側機構部からも、また駆動／軸受機構部からも独立して、温度調節操作を加えることができ、即ち、個々の用途において必要とされる、或いは、その用途プロセスの各段階において必要とされる、冷却や加熱の制御を行うことができる。このことは、背圧側機構部についても同様である。例えば、圧力が上昇するために凝縮した液体や凝固した固体が盛んに堆積するという事態は、温度を意図的に上昇させることで防止することができる。更に、駆動／軸受機構部において動作中に発生する熱は冷却によって除去されるため、この駆動／軸受機構部からその他の機構部への無規制な或いは不都合な熱伝導が防止される。
【００１０】
【発明の実施の形態】
以下に図面を参照しつつ、本発明を、その実施の形態に即して更に詳細に説明して行く。
図示した真空ポンプは３つの機構部を連結した構造を有するものであり、それら３つの機構部とは、高真空側機構部１、背圧側機構部２、それに駆動／軸受機構部３である。高真空側機構部１は、図示した実施の形態では、ターボ分子ポンプとして構成されており、複数のロータ側羽根車９と、複数のステータ側羽根車１０とを有し、吸気口１３を備えている。背圧側機構部２は、図示した実施の形態では、ホルベックポンプ形の分子ポンプとして構成されている。この分子ポンプは、回転する円筒部材１１と、螺旋溝を形成したステータ側部材１２とを備えている。尚、参照番号１４は排気口である。駆動／軸受機構部３は、実質的に一体化されて駆動モータ４として構成されており、この駆動モータ４は軸８を回転駆動する。軸８には、高真空側機構部１及び背圧側機構部２の夫々の回転側構成部材が取り付けられており、また、この軸８を軸支するための軸受機構も取り付けられている。この軸受機構は、図示した実施の形態では、アキシャル磁気軸受５とラジアル機器軸受６とで構成されている。また更に、パッシブ形のラジアル磁気軸受７が、高真空側機構部１に配設されている。ただし、これら磁気軸受の一部または全てを、例えばボールベアリング等のその他の種類の軸受に替えてもよく、そのように変更しても、本発明の本質は変わることはない。
【００１１】
高真空側機構部１と背圧側機構部２との間には、それら機構部を互いに断熱することを目的として、旋削によって形成した径方向及び軸心方向の逃げ部、即ち肉抜き部１５を設けてある。同様に、背圧側機構部２と駆動／軸受機構部３との間にも、旋削によって形成した径方向及び軸心方向の逃げ部、即ち肉抜き部１６を設けてある。また、高真空側機構部１を駆動／軸受機構部３から断熱するために、図示の実施の形態では、軸８に、旋削によって切欠き部、即ち肉抜き部１７を形成している。更に、構造的に肉抜き部を形成することができない部位や、構造的に接触面をなくすことができない部位においては、熱伝導率の小さな材料、即ち熱不良導体材料で、その接触面を構成するようにすればよい。そのために、例えば高真空側機構部１と背圧側機構部２との間の番号１８で示した部位には、その種の材料で形成した装着部材を介装してあり、また、背圧側機構部２と駆動／軸受機構部３との間の番号１９で示した部位にも、同様の装着部材を介装してある。高真空側機構部１と駆動／軸受機構部３とは、例えば軸８の番号２０で示した部位に、熱不良導体材料で形成した装着部材を介装することで、互いに熱的に分離することができる。
【００１２】
高真空側機構部１の温度調節即ち温度制御を行うために、冷却装置２１と加熱装置２３とを備えている。更に、温度センサ２５を使用して、高真空側機構部１の温度をモニタして加熱動作ないし冷却動作を制御できるようにしている。また背圧側機構部２を加熱するために、複数の棒状の加熱エレメント２４を備えており、それら加熱エレメント２４は、ハウジングの外部からハウジングを通して内部へ径方向に突出している。更に、温度センサ２６を使用して、背圧側機構部２の温度をモニタして加熱エレメント２４を制御できるようにしている。駆動／軸受機構部３は、その内部で発生した熱を排除するための冷却装置２２を備えている。
【００１３】
【発明の効果】
以上の説明から明らかなように、本発明によれば、真空ポンプが取り扱う気体が凝縮して液体となったり、更に凝固して固体となって真空ポンプ内に堆積することを効果的に防止し得ると共に、真空ポンプの構成部材のうち高温によって悪影響を受ける構成部材の過熱を防止し得るという利点が得られる。
【図面の簡単な説明】
【図１】本発明の実施の形態にかかる真空ポンプの縦断面図である。
【符号の説明】
１  高真空側機構部
２  背圧側機構部
３  駆動／軸受機構部
１５、１６、１７  肉抜き部
１８、１９、２０  装着部材（断熱部材）
【図１】
0004235273.tif 000002